(57)【要約】【課題】折畳式の携帯電話機を部分的挿入によって簡単に収納できると共に、該携帯電話機の使用時には少ない手順で簡単に取り出して広げることができる、小形で取り扱い性に勝れた折畳式携帯電話機専用の収納ケースを得る。【解決手段】収納ケース１０を、背板１１と前面カバー１２とを挿入口１３となる部分を除いて有底かつ無蓋の筒状に結合することにより形成し、上記背板１１の内側の面にはスポンジ体１６を取り付け、上記背板１１と前面カバー１２との間の間隔は、携帯電話機１を広げた状態で第１機体部分１ａを上記挿入口１３から挿入したとき該第１機体部分１ａが上記スポンジ体１６を圧縮しながら密に挿入可能な大きさに形成し、上記前面カバー１２は、上記第１機体部分１ａをケース内に挿入した状態のまま第２機体部分１ｂを折り畳み可能な程度に薄肉とする。【選択図】        図４
2004159683.tif 000002
【特許請求の範囲】
【請求項１】
複数の操作ボタンを有する第１機体部分と表示画面を有する第２機体部分とが折曲自在に連結された折畳式携帯電話機の、上記第１機体部分を挿入して収納するための収納ケースであって、
上記第１機体部分に対応する長さの背板と、該背板より長さが短い前面カバーとを、挿入口となる一端側の部分を除いて有底かつ無蓋の筒状に結合することにより形成され、
上記背板の内側の面には、弾性力と摩擦力とによって上記第１機体部分を抜止状態に保持する少なくとも表面が柔軟なスポンジ体が取り付けられ、
上記背板と前面カバーとの間の間隔は、携帯電話機を広げた状態で上記第１機体部分を上記挿入口から挿入した時、該第１機体部分が上記スポンジ体を圧縮しながら密に挿入可能な大きさに形成されており、
上記前面カバーは、上記第１機体部分をケース内に挿入した状態のまま該前面カバーを介して第２機体部分を折り畳み可能な程度に薄肉である、
ことを特徴とする折畳式携帯電話機用収納ケース。
【請求項２】
上記前面カバーが、上記第１機体部分の操作ボタンを透視可能な程度に透明性を有すると共に、該操作ボタンを覆った状態のまま各操作ボタンを個別に押圧操作可能な程度に柔軟性を有していることを特徴とする請求項１に記載の収納ケース。
【請求項３】
上記スポンジ体が、その表面に畝状、格子状、点状の何れかのパターンで位置する複数の突起を有していることを特徴とする請求項１又は２に記載の収納ケース。
【請求項４】
上記スポンジ体が合成樹脂発泡体からなっていて、気泡壁の膜状部分を除去して輪郭部分だけを残した繊維状の骨格構造を有することを特徴とする請求項１から３までの何れかに記載の収納ケース。
【請求項５】
請求項１〜４までの何れかに記載の収納ケースを固定的に付設してなることを特徴とする携帯用品。
【発明の詳細な説明】
【０００１】
【発明の属する技術分野】
本発明は、折畳式の携帯電話機を収納するための収納ケースに関するものである。
【０００２】
【従来の技術】
この種の収納ケースとして従来より、例えば特許文献１及び２に記載されたものが知られている。これらの収納ケースは、合成皮革や合成樹脂などの素材によって筒状に形成されると共に、開閉自在の蓋を有し、この蓋を開閉することによって携帯電話機を出し入れするように構成されている。また、収納ケースの正面には、透明のビニールシートで覆われた窓部が設けられ、このビニールシートを介してボタン操作を行うことができるようになっている。
【０００３】
ところが、このような従来の収納ケースは、携帯電話機を十分余裕を持って収容できるような大きさに形成されていて、蓋を閉じることによって該携帯電話機の脱落を防止するように構成されているため、該収納ケースが必要以上に嵩張って持ち運びにくく、しかも、携帯電話機を出し入れする度に一々蓋を開閉しなければならないため、取り扱いも非常に面倒である。また、最近では、携帯電話機の形態も折畳式が主流になりつつあるが、上記従来の収納ケースは、このような折畳式携帯電話機を収容するものとして適していない。即ち、携帯電話機の不使用時には、該携帯電話機を折り畳んだ状態で収納ケース内に収容したあと、蓋を閉じなければならないというのは上述した通りであるが、携帯中に着信があって携帯電話機を使用する際には、先ず収納ケースの蓋を開放して携帯電話機を取り出したあと、該携帯電話機を広げるといった手順を踏まなければならないため、手間がかかって取り扱いが非常に煩雑になるからである。
【０００４】
【特許文献１】
特開２０００−６９５３６号公報
【特許文献２】
特開２００１−２１０１１３号公報
【０００５】
【発明が解決しようとする課題】
本発明の技術的課題は、折畳式の携帯電話機を部分的に挿入するだけで簡単に収納することができると共に、該携帯電話機の使用時には少ない手順で簡単に取り出して広げることができる、小形で取り扱い性に勝れた折畳式携帯電話機専用の収納ケースを提供することにある。
【０００６】
【課題を解決するための手段】
上記課題を解決するため、本発明によれば、複数の操作ボタンを有する第１機体部分と表示画面を有する第２機体部分とが折曲自在に連結された折畳式携帯電話機の、上記第１機体部分を挿入して収納するための収納ケースであって、上記第１機体部分に対応する長さの背板と、該背板より長さが短い前面カバーとを、挿入口となる一端側の部分を除いて有底かつ無蓋の筒状に結合することにより形成され、上記背板の内側の面には、弾性力と摩擦力とによって上記第１機体部分を抜止状態に保持する少なくとも表面が柔軟なスポンジ体が取り付けられ、上記背板と前面カバーとの間の間隔は、携帯電話機を広げた状態で上記第１機体部分を上記挿入口から挿入した時、該第１機体部分が上記スポンジ体を圧縮しながら密に挿入可能な大きさに形成されており、上記前面カバーは、上記第１機体部分をケース内に挿入した状態のまま該前面カバーを介して第２機体部分を折り畳み可能な程度に薄肉であることを特徴とする折畳式携帯電話機用収納ケースが提供される。
【０００７】
上記構成を有する収納ケースに折畳式携帯電話機を収納するときは、該携帯電話機の第１機体部分と第２機体部分とを広げた状態で、操作ボタンを有する第１機体部分を該収納ケースの背板と前面カバーとの間に挿入口から挿入し、そのあと該携帯電話機を折り畳むことにより、前面カバーで被覆された上記第１機体部分の上に第２機体部分を折り重ねる。
【０００８】
このとき、上記前面カバーは薄肉であるから、この前面カバーが両機体部分の間に介在した状態のまま携帯電話機を折り畳むことができる。また、上記第１機体部分を収納ケース内に挿入すると、スポンジ体がこの第１機体部分の背面に接触して圧縮され、このスポンジ体の弾性力と摩擦力とによって該第１機体部分が抜止状態に保持されるから、収納ケースに蓋を設けなくても、該収納ケースから携帯電話機が脱落することはない。
【０００９】
携帯電話機を通話等で使用する場合には、上記第２機体部分を広げながら第１機体部分を収納ケースから引き抜くことにより、該携帯電話機をそのまま直ちに使用することができる。
【００１０】
かくして上記収納ケースは、折畳式の携帯電話機を部分的に挿入するだけで簡単に収納することができると共に、該携帯電話機の使用時には、それを少ない手順で簡単かつ迅速に取り出して使用することができ、蓋付きで容積の大きい従来の収納ケースに比べ、小形で取り扱い性に勝れる。
【００１１】
本発明において好ましくは、上記前面カバーが、上記第１機体部分の操作ボタンを透視可能な程度に透明性を有すると共に、該操作ボタンを覆った状態のまま各操作ボタンを個別に押圧操作可能な程度に柔軟性を有していることである。
これにより、上記第１機体部分を収納ケースないに挿入した状態のまま、上記第２機体部分を広げるだけで、透明で薄肉かつ柔軟な上記前面カバーの上から上記第１機体部分の各操作ボタンを押圧操作することにより、携帯電話機を使用することができる。
【００１２】
本発明においてはまた、上記スポンジ体の表面に、畝状、格子状、点状の何れかのパターンで位置する複数の突起を形成することができる。
スポンジ体にこのような突起を設けることにより、該スポンジ体の圧縮変形性や摩擦力が有効に作用する範囲を広げることができるから、厚さが若干異なる他の携帯電話機であっても確実に対応することができる。また、上記突起の数や高さ等を変えることによってスポンジ体の弾性や摩擦力等を任意に調整することができるため、使用性が一層向上する。
【００１３】
上記スポンジ体は、気泡壁の膜状部分を除去して輪郭部分だけを残した繊維状の骨格構造を持つ合成樹脂発泡体であることが望ましい。スポンジ体をこのような繊維状の骨格構造とすることにより、通常の膜付きスポンジに比べて柔軟性を著しく高めることができ、摩擦力の設定も容易に行うことができる。
【００１４】
また、本発明によれば、上記収納ケースを財布等に固定的に付設して形成された携帯用品が提供される。
【００１５】
【発明の実施の形態】
図１〜図３は本発明に係る折畳式携帯電話機用収納ケースの第１実施例を示すもので、この収納ケース１０は、図４〜図６に示すような折畳式の携帯電話機１を収納するためのものである。この携帯電話機１は、前面に複数の操作ボタン２を有する第１機体部分１ａと、前面に情報表示用の表示画面３を有する第２機体部分１ｂとからなっていて、これらの機体部分１ａ，１ｂを、ヒンジ部４によって、前面同士が重なり合った状態に折り畳まれるように連結したものである。
【００１６】
また、上記収納ケース１０は、上記携帯電話機１の第１機体部分１ａのみを収納するためのもので、該第１機体部分１ａに対応する長さを有する背板１１と、この背板１１より長さが短い前面カバー１２とを、それらの下端部同士及び側端部同士を互いに揃えて重ね合わせると共に、前面カバー１２の上端部を背板１１の上端部より低く位置させた状態で、挿入口１３となる上端側の部分を除く周縁部を縁部材１４で挟持させ、逢着や接着等の手段で相互に結合することにより、有底かつ無蓋の筒状に形成されている。上記背板１１の長さは、上記第１機体部分１ａとほぼ同じであるか、あるいは、それよりやや短めか又は長めであることが望ましい。
【００１７】
上記背板１１は、合成皮革や合成樹脂、布、あるいはその他の適宜素材を単独で使用するか、又は適宜組み合わせて使用することによって、自己保形性を有する程度に硬質であるように形成されており、この背板１１の内側の面には、ケースの軸線方向に延びる複数の畝状の突起１６ａを表面に備えた柔軟なスポンジ体１６が取り付けられている。このスポンジ体１６は、ポリウレタン等を素材とする合成樹脂発泡体からなるもので、気泡壁の膜状部分を除去して輪郭部分だけを残した繊維状の骨格構造を有するものであり、このような繊維状の骨格構造とすることで、気泡壁の膜状部分を有する剛性の大きい通常のスポンジ体に比べ、柔軟性が著しく高められている。このスポンジ体１６は、例えば上記ポリウレタン発泡体を再加熱するなどして気泡壁の膜状部分を除去することにより得ることができる。
【００１８】
上記スポンジ体１６を取り付けられた背板１１と前面カバー１２との間の間隔ｄは、上記携帯電話機１の第１機体部分１ａが該スポンジ体１６を圧縮しながら密に挿入されるように、該第１機体部分１ａの厚さよりもスポンジ体１６の圧縮後の厚さ分だけ大きく形成されている。そして、図４及び図６に示すように、携帯電話機１の第１機体部分１ａを背板１１と前面カバー１２との間に挿入する際には、該スポンジ体１６の各突起１６ａが柔軟に変形してこの第１機体部分１ａを円滑に挿入することができ、該第１機体部分１ａの挿入後には、上記各突起１６ａが該第１機体部分１ａの背面に圧縮状態で接触し、それらの弾性力と適度の摩擦力とによって該第１機体部分１ａが収納ケース内に抜止状態に保持されるようになっている。特に、上記第１機体部分１ａの背面が平面ではなく、規則的又は不規則的な曲面形状をなしている場合でも、上記スポンジ体１６及び突起１６ａがその曲面形状に応じて変形し、該第１機体部分１ａの背面全体に確実に接触するため、該スポンジ体１６及び突起１６ａによる抜止効果は確実に発揮されることになる。また、このスポンジ体１６及び突起１６ａによって第１機体部分１ａの背面に傷を付けることもない。
【００１９】
上記スポンジ体１６の柔軟性や摩擦力は、上記突起１６ａを形成することによってそれらの有効作用範囲が突起のない場合よりは広がっており、このため上記収納ケース１０は、第１機体部分１ａの厚さが若干異なる各種携帯電話機に対して広く使用することができる。また、上記スポンジ体１６の柔軟性や摩擦力は、上記突起１６ａの数や高さ等を変えることによって適宜調整することができる。
従って、スポンジ体１６にこのような突起１６ａを形成することは、収納ケース１０による第１機体部分１ａの保持力を最適なものに設定する上で非常に有効である。
なお、上述した畝状に位置する突起１６ａの代わりに、格子状や点状やあるいはその他の適宜パターンで位置する突起を設けた場合でも、それによる効果は畝状の突起の場合と同様である。
【００２０】
因みに、実用化のための各種実験段階で、上記スポンジ体１６として、気泡壁の膜状部分を有する通常のスポンジ体、即ち、スポンジたわし等に使用される比較的硬質のスポンジ体を使用した場合には、スポンジ体自身の剛性が大きいために該スポンジ体が変形しにくく、そのため摩擦による抵抗力が大きくなり、収納ケースへの携帯電話機の挿入や取り出しが比較的困難であることが分かった。一方で、このような気泡壁の膜状部分を有するスポンジ素材であっても、上述したような突起を形成することによって携帯電話機と接触する表面の剛性を低下させて柔軟にするとか、素材密度を小さくすることによって表面あるいは全体を十分に軟質化するといったような工夫を施すことにより、携帯電話機の出し入れを容易に行い得る程度の柔軟性を有し、収納時の抜止効果にも勝れるスポンジ体を得ることができることも確認されており、このようなスポンジ体を使用することにより、本発明の目的は十分達成することができる。
【００２１】
また、上記前面カバー１２は、合成樹脂シートからなるもので、上記操作ボタン２を透視可能な程度に透明性を有すると共に、該操作ボタン２を覆った状態のまま各操作ボタン２を個別に押圧操作可能な程度に柔軟性を有し、かつ、該前面カバー１２で上記第１機体部分１ａを覆った状態のまま携帯電話機１を折り畳み可能な程度に薄肉であるように形成されている。そして、該前面カバー１２の中央下端部には、上記第１機体部分１ａに形成されているマイク５と対応する位置に、該マイク５を外部に露出させるための窓孔１７が開けられている。この前面カバー１２は、全ての操作ボタン２を覆う必要はなく、第１機体部分１ａの上端部近くにある一部の操作ボタン２はこの前面カバー１２から外れていても構わない。
【００２２】
上記背板１１の上端部中央位置には、収納ケース１０を手にぶら下げたりフック等に吊り掛けたりするための止着具として、ループ状の紐１９が取り付けられており、また、背板１１の背面には、収納ケース１０をバッグやポケットの縁等に係止させるためのクリップ２０が設けられている。このクリップ２０は、先端の挟持部２０ａと基端の操作部２０ｂとからなっていて、それらの中間位置を支軸２１で回動自在に支持されると共に、該支軸２１の回りに設けられたコイルばね２２で先端の係止部２０ａが閉じる方向に弾発されている。
【００２３】
なお、上記紐１９とクリップ２０とは、その両方を同時に設ける必要はなく、何れか一方だけを設けても良い。あるいは、これらの紐１９やクリップ２０に代わる止着具として、ガラスや平滑な壁面、家具、冷蔵庫などの家電製品などに吸着可能な吸盤とか、ズボンのベルトやショルダーバッグのベルト等に抱着可能な止着帯等を設けることもできる。
【００２４】
上記構成を有する収納ケース１０に折畳式携帯電話機１を収納するときは、図４に示すように、該携帯電話機１の第１機体部分１ａと第２機体部分１ｂとを広げた状態で、操作ボタン２を有する第１機体部分１ａを該収納ケース１０の背板１１と前面カバー１２との間に挿入口１３から挿入し、そのあと図５及び図６に示すように該携帯電話機１を折り畳むことにより、前面カバー１２で被覆された上記第１機体部分１ａの上に第２機体部分１ｂを折り重ねるようにする。これにより、該収納ケース１０に折畳式携帯電話機１が収納されることになる。
【００２５】
このとき、上記前面カバー１２は薄肉で柔軟であるから、この前面カバー１２が両機体部分１ａ，１ｂの間に介在した状態のままでも携帯電話機１を折り畳むことができる。また、上記第１機体部分１ａを収納ケース１０内に挿入すると、上記スポンジ体１６の各突起１６ａがこの第１機体部分１ａの背面に接触して該スポンジ体１６が圧縮され、上記突起１６ａを主体にしたスポンジ体１６の弾性力と摩擦力とによって該第１機体部分１ａが抜止状態に保持されるから、収納ケース１０に蓋を設けなくても、該収納ケース１０から携帯電話機１が脱落することはない。しかも、上記第１機体部分１ａと第２機体部分１ｂとの間に上記前面カバー１２が挟持されて携帯電話機１に係止するから、抜止効果は一層大きくなる。さらに、携帯電話機１の収納時に上記第２機体部分１ｂが外部に露出しているから、この第２機体部分１ｂの外面に第２の表示画面６が設けられている場合には、収納状態のままこの第２表示画面６を見ることができる。
【００２６】
通話等のために上記携帯電話機１を使用する時は、上記第２機体部分１ｂを図４に示すように広げ、透明で薄肉かつ柔軟な上記前面カバー１２の上から第１機体部分１ａの各操作ボタン２を押圧操作し、マイク５の位置に開口する窓孔１７を通じて通話を行う。これにより、上記第１機体部分１ａを収納ケース１０から取り出すことなく、携帯電話機１を使用することができる。
【００２７】
かくして上記第１実施例の収納ケース１０は、折畳式の携帯電話機１の第１機体部分１ａを挿入するだけで該携帯電話機１を収納することができると共に、該携帯電話機１の使用時にはそれを取り出すことなくそのまま広げて使用することができるから、小形で取り扱い性に勝れる。
収納ケース１０から携帯電話機１を取り出すときは、該携帯電話機１を広げた状態で引っ張ることにより、それを取り出すことができる。
【００２８】
上記実施例では、スポンジ体１６に複数の突起１６ａが形成されているが、このスポンジ体１６は、少なくとも表面部分が必要な柔軟性さえ備えていれば、このような突起１６ａを備えていなくても、その柔軟性と適度の摩擦力とによって携帯電話機１の第１機体部分１ａをケース内に容易に出し入れし、かつ抜止状態に保持することができる。しかも、スポンジ体１６の厚さを調整することで保持力を自由に調整することができる。従って、このスポンジ体１６には必ずしも上述したような突起１６ａを形成する必要がない。
【００２９】
また、上記スポンジ体１６は、背板１１の内面全体に取り付けられているが、携帯電話機１の第１機体部分１ａが接触する部分の全体又は一部に部分的に取り付けても良く、このように部分邸に取り付けても、抜止効果は十分に得ることができる。要するに上記スポンジ体１６は、背板１１の内面の少なくとも一部に取り付けられていれば良いのである。
【００３０】
更に、上記第１実施例の収納ケース１０では、前面カバー１２が透明に形成されているが、この前面カバー１２は不透明であっても良い。この場合には、該前面カバー１２の上から操作ボタン２を押圧するという操作はできないため、携帯電話機１の使用時にはそれを収納ケース１０から取り出す必要があるが、上記第２機体部分１ｂを広げながら、あるいは広げたあと直ちに第１機体部分１ａを収納ケース１０から引き抜くことができるため、蓋付きのケースに比べてその取り扱いは簡単かつ迅速である。なお、不透明の前面カバー１２は、合成樹脂や合成皮革、布等の必要な柔軟性を持った素材によって形成することができる。
【００３１】
図７は本発明の収納ケースの第２実施例を示すもので、この実施例では、収納ケース１０が携帯用品２５の外面に設けられている。この場合の携帯用品２５としては財布が示されていて、この財布の外面に収納ケース１０の背板１１が逢着や接着等の手段で固定されている。しかしその固定方法は限定されない。あるいは、財布の外皮に背板を兼用させ、この外皮に直接スポンジ体１６と前面カバー１２とを取り付けても良い。
なお、上記収納ケース１０を設ける携帯用品としては、上記財布以外にも、バッグ類やそのベルトなど、任意の携帯用品を挙げることができる。
【００３２】
【発明の効果】
本発明の収納ケースは、折畳式の携帯電話機を部分的に挿入するだけで簡単に収納することができ、また、該携帯電話機の使用時には、それを少ない手順で簡単かつ迅速に取り出して使用することができ、蓋付きで容積の大きい従来の収納ケースに比べ、小形で取り扱い性に勝れる。
【図面の簡単な説明】
【図１】本発明に係る収納ケースの第１実施例を示す斜視図である。
【図２】図１の縦断面図である。
【図３】図１の横断面図である。
【図４】図１の収納ケースに折畳式携帯電話機を開放して収容した状態を示す正面図である。
【図５】図４において携帯電話機を折り畳んだ状態を示す正面図である。
【図６】図５の縦断面図である。
【図７】本発明に係る収納ケースの第２実施例を示す正面図である。
【符号の説明】
１      携帯電話機
１ａ      第１機体部分
１ｂ      第２機体部分
２      操作ボタン
３      表示画面
５      マイク
１０      収納ケース
１１      背板
１２      前面カバー
１３      挿入口
１６      スポンジ体
１６ａ      突起
１７      窓孔
２５      携帯用品
【図１】
2004159683.tif 000003
【図２】
2004159683.tif 000004
【図３】
2004159683.tif 000005
【図４】
2004159683.tif 000006
【図５】
2004159683.tif 000007
【図６】
2004159683.tif 000008
【図７】
2004159683.tif 000009